(57)【要約】【課題】電気自動車の充電をスムーズに行い、その適切な運行を確保する。【解決手段】電気自動車と、風力発電充電スタンドと、から構成され、カーナビゲーション装置と、電気自動車の走行用バッテリーの残存容量を検出する検出部と、風力発電装置の発電の制御、発電電気の管理を行う制御部と、前記電気自動車、前記風力発電装置に関する情報を格納するユーザデータベースと、ユーザデータベースに格納されている情報に基づいて前記電気自動車及び風力発電充電スタンドを制御する制御部とを備え、前記前記電気自動車及び風力発電充電スタンドを制御する制御部は、前記電気自動車、前記風力発電充電スタンドから受信した情報、及び気象情報、前記ユーザデータベースに格納されている情報に基づいて、前記電気自動車の運行のマネジメントを行うことを特徴とする電気自動車管理システム。【選択図】図１
2006113890.tif 000002
【特許請求の範囲】
【請求項１】
電気自動車管理システムであって、
電気自動車と、風力発電装置が発電した電気を蓄電することにより前記電気自動車へ充電を行う風力発電充電スタンドと、から構成され、
前記電気自動車の現在位置情報を取得すると共に、該現在位置情報に基づき目的地への経路誘導を行うカーナビゲーション装置と、
前記電気自動車の走行用バッテリーの残存容量を検出する検出部と、
前記風力発電充電スタンドにおける風力発電装置の発電の制御、発電電気の管理を行う制御部と、
前記電気自動車、前記風力発電装置に関する情報を格納するユーザデータベースと、
ユーザデータベースに格納されている情報に基づいて前記電気自動車及び風力発電充電スタンドを制御する制御部とを備え、
前記前記電気自動車及び風力発電充電スタンドを制御する制御部は、前記電気自動車、前記風力発電充電スタンドから受信した情報、及び気象情報、前記ユーザデータベースに格納されている情報に基づいて、前記電気自動車の運行のマネジメントを行うことを特徴とする電気自動車管理システム。
【請求項２】
前記電気自動車及び電気風力発電充電スタンドはそれぞれ複数であることを特徴とする請求項１に記載の電気自動車管理システム。
【請求項３】
前記電気自動車のバッテリー残存量、前記風力発電充電スタンドにおける現在の蓄電量及び予測蓄電量とに基づいて、前記電気自動車の運行のマネジメントを行うことを特徴とする請求項１又は２に記載の電気自動車管理システム。
【発明の詳細な説明】
【技術分野】
【０００１】
本発明は、電気自動車管理システムに係り、特に風力発電における発電量予測を伴なう電気自動車管理システムに関する。
【背景技術】
【０００２】
電気自動車ガソリン車等の内燃機関により走行する自動車のように排気ガスを発生させること無く、近年の環境に対する意識の高まりとともに注目を集めている。また、その電気自動車の走行用バッテリーに充電するための電気についても環境を汚染することなく自然界に吹く風を利用して電気を発生させる風力発電により供給しようとする動きが高まっており、電気自動車を風力発電により発生させた電気により走行させることも提案されている（特許文献１参照）。
【特許文献１】特開２００４−２１５４６８号公報
【発明の開示】
【発明が解決しようとする課題】
【０００３】
ここで、電気自動車の走行可能距離はガソリン等の内燃機関により走行する自動車に比較して短いことが知られており、また、その走行用バッテリーに充電を行うのに必要な時間は内燃機関により走行する自動車が燃料を補給に必要な時間に比較して長いことが知られている。
【０００４】
また、風力発電は環境汚染を引き起こすことはないが、自然界おいて吹く風を利用して電気を発生させるものであるため、その風に発電量が大きく左右され電気を必ずしも安定して供給できないという問題点を有するため、電気自動車の走行用バッテリーを充電するために風力発電充電スタンドに充電に行ったとしても必ずしも充電に必要な電気があるとは限らない。また、充分な電気があったとしても、先に他の電気自動車の充電が行われていて、直ちに充電をすることができない場合がある。
【０００５】
本発明の課題は電気自動車の充電をスムーズに行い、その適切な運行を確保することにある。
【課題を解決するための手段】
【０００６】
そこで、上記課題を解決するため、請求項１に記載の電気自動車管理システムは、電気自動車と、風力発電装置が発電した電気を蓄電することにより前記電気自動車へ充電を行う風力発電充電スタンドと、から構成され、前記電気自動車の現在位置情報を取得すると共に、該現在位置情報に基づき目的地への経路誘導を行うカーナビゲーション装置と、前記電気自動車の走行用バッテリーの残存容量を検出する検出部と、前記風力発電充電スタンドにおける風力発電装置の発電の制御、発電電気の管理を行う制御部と、前記電気自動車、前記風力発電装置に関する情報を格納するユーザデータベースと、ユーザデータベースに格納されている情報に基づいて前記電気自動車及び風力発電充電スタンドを制御する制御部とを備え、前記前記電気自動車及び風力発電充電スタンドを制御する制御部は、前記電気自動車、前記風力発電充電スタンドから受信した情報、及び気象情報、前記データベースに格納されている情報に基づいて、前記電気自動車の運行のマネジメントを行うことを特徴とする。
【０００７】
請求項１に記載の発明によれば、電気自動車のドライバーは自らが運転する電気自動車の走行用バッテリーの状況等を把握した上で確実に充電できる風力発電充電スタンドを知ることができる。
【０００８】
請求項２に記載の発明は、請求項１に記載の電気自動車管理システムにおいて、前記電気自動車及び電気風力発電充電スタンドはそれぞれ複数であることを特徴とする。
【０００９】
請求項２に記載の発明によれば、複数の風力発電充電スタンドを設けることで電気自動車の活動範囲が広域化し、かつ複数の電気自動車のそれぞれが確実に充電を行うことができる。
【００１０】
請求項３に記載の発明は、請求項１又は２に記載の電気自動車管理システムにおいて、前記電気自動車のバッテリー残存量、前記風力発電充電スタンドにおける現在の蓄電量及び予測蓄電量とに基づいて、前記電気自動車の運行のマネジメントを行うことを特徴とする。
【００１１】
請求項３に記載の発明によれば、現在の蓄電量のみならず、予測蓄電量に基づいて運行のマネジメントをすることができるので、将来蓄電される電気の量をも考慮して運行することが可能となるのでより電気自動車は長時間の運行が可能となる。
【発明の効果】
【００１２】
請求項１に記載の発明によれば、電気自動車の走行用バッテリーの状況、風力発電充電スタンドにおける蓄電量、将来の蓄電量及び道路状況を踏まえたうえで電気自動車は確実に充電を行うことができ、電気自動車の運行を適切に図ることができる。
【００１３】
また請求項１に記載の発明によれば、風力により電気を発電させるので環境汚染を招くことなく清潔な環境を維持しつつ電気自動車に電気を供給することができる。
【００１４】
請求項２に記載の発明によれば、複数の風力発電充電スタンドを設けることで環境汚染を招かない環境を維持しつつ充電場所の幅を広げ、電気自動車の充電を迅速に行うことができる。
【００１５】
また、請求項２に記載の発明によれば、複数の電気自動車について適切な運行管理を行うことができる。
【００１６】
請求項３に記載の発明によれば、現在の蓄電量のみならず、予測蓄電量に基づいて運行のマネジメントをすることができるので、将来蓄電される電気の量をも考慮して運行することが可能となるのでより電気自動車は長時間の運行が可能となり、より広い地域内における運行のマネジメントが可能となる。
【発明を実施するための最良の形態】
【００１７】
以下、本発明の実施の形態を図１から図１及び図２を参照して説明する。図１は、本発明による電気自動車管理システム１の構成例を示す図である。本実施の形態に係る電気自動車管理システム１は、電気自動車管理装置２、電気自動車３、電気自動車４、風力発電充電スタンド５及び風力発電充電スタンド６から構成されている。
【００１８】
なお、本発明に係る電気自動車管理システム１の構成を構成する電気自動車及び風力発電充電スタンドの数に制限は無い。また、本発明に用いられる電気自動車及び風力発電充電スタンドの本発明に関する構成は全て同一であるため、以下の構成の説明においては、電気自動車３及び風力発電充電スタンド５のみについて説明を行い、電気自動車４及び風力発電充電スタンド６についての説明は省略する。
【００１９】
電気自動車管理装置２と電気自動車３及び風力発電充電スタンド５は例えば携帯電話網を用いた無線方式により通信を行うこととなっている。
【００２０】
公衆回線通信とは、それぞれの携帯電話網に接続して通話及びメールの送信を実現するための各種処理を実行するハードウェアやソフトウェアである。無線通信手段は、例えば、基地局と携帯電話機で通信を確立・保持させるためのプロトコル処理、音声などの信号の符号／復号化処理、多重化や変調などの伝送処理などを行うものである。
【００２１】
電気自動車管理装置２は、各種情報のデータベースへの登録、データ管理及び登録されている電気自動車及び風力発電充電所への情報の送信等を行うものである。電気自動車管理装置２はコンピュータで構成されており、図１に示すように、電気自動車管理装置２にはユーザがキー操作等により各種情報を入力する電気自動車管理装置側操作入力部２１（以下「管理装置側操作入力部２１」という）、ＶＩＣＳ（Vehicle Information and Communication System＝道路交通情報システム）によって提供される情報を受信するＶＩＣＳ受信部２２、電気自動車管理装置側通信部２３（以下「管理装置側通信部２３」という）、ユーザデータベース２４の各機能を統括する電気自動車管理装置側制御部２５（以下「管理装置側制御部２５」という）が備えられている。
【００２２】
管理装置側操作入力部２１は、例えばタッチパネル、ライトペン、各種キーや操作ボタン等によって構成されており、ユーザがこれらを操作することにより、操作に応じた操作信号を管理装置側制御部２５に出力するようになっている。
【００２３】
ＶＩＣＳ受信部２２は、ＦＭ電波で送信される情報を受信するためのＦＭアンテナ（図示せず）及び道路上に所定間隔で設置された光ビーコンや電波ビーコン（情報通信施設）から送信される情報を受信するためのビーコン受信部（図示せず）等から構成されている。  ＶＩＣＳ受信部２２は、これらＦＭアンテナ及びビーコン受信部から渋滞、事故、交通規制、駐車場等の交通情報を常時受信するようになっている。
【００２４】
管理装置側通信部２３は、電話回線通信で使用される周波数帯の信号を送受信するアンテナと、コマンドに従って電話回線通信規格に沿った通信処理を行う無線通信手段としての公衆回線通信モジュールと、プログラムを実行してユニット全体の制御を行うＣＰＵと、ＣＰＵの制御プログラムや制御データが格納されるＲＯＭと、ＣＰＵに作業空間を提供するＲＡＭと、ＣＰＵと各入出力モジュールとの間でデータの受渡しを行うＩ／Ｏインターフェースにより構成されている。
【００２５】
また、管理装置側通信部２３は、電気自動車３、電気自動車４、風力発電充電スタンド５、及び風力発電充電スタンド６と情報の送受信を行うようになっている。また管理装置側通信部２３は、例えば、気象情報総合処理システム（Computer System for Meteorological Services=ＣＳＭＳ）から風力発電充電スタンド５及び風力発電充電スタンド６の付近の風力予測データを受信するようになっている。
【００２６】
また、管理装置側通信部２３は、電気自動車３から定期的に送信されてくる電気自動車３に関する情報を受信するようになっている。
【００２７】
ユーザデータベース２４には、電気自動車管理システムを利用する電気自動車３、電気自動車４、風力発電充電スタンド５及び風力発電充電スタンド６に関する識別情報等が格納されている。
【００２８】
ユーザデータベース２４には、ユーザの氏名、住所等の個人情報、ユーザによる電気自動車管理システムの使用履歴等の電気自動車管理システム１を利用するユーザに関する情報が格納されている。これらの情報は、管理装置側操作入力部２１を操作することにより変更、消去及び閲覧等をすることができるようになっている。
【００２９】
ユーザデータベース２４には、電気自動車３、電気自動車４、風力発電充電スタンド５、及び風力発電充電スタンド６から送信されてくる情報、風力予測情報、及びＶＩＣＳ受信部において受信した交通情報が登録されている。
【００３０】
また、ユーザデータベース２４には、過去の交通情報が記録されている。
【００３１】
管理装置側制御部２５は、例えば、ＣＰＵ（Central Processing Unit）等から構成され、ＲＯＭ（Read Only Memory）に格納される所定のプログラムを読み出してＲＡＭ（Random Access Memory）の作業領域に展開し、当該プログラムに従って各種の処理を実行するようになっている。
【００３２】
管理装置側制御部２５は、管理装置側通信部２３において受信した電気自動車３、電気自動車４、風力発電充電スタンド５及び風力発電充電スタンド６から送信されてくる情報、風力予測情報及びＶＩＣＳ受信部において受信した交通情報の分析を行うようになっている。管理装置側制御部２５は、前述の分析した情報に基づいて電気自動車及び風力発電充電スタンドを制御するようになっている。
【００３３】
分析の内容は、例えば、電気自動車３及び電気自動車４の走行用バッテリーの残存容量
の算出や、電気自動車３及び電気自動車４の走行可能距離の算出、目的地までに必要な電気量等である。
【００３４】
また、分析の内容とは、例えば、風力発電充電スタンド５及び風力発電充電スタンド６の現在の蓄電量及び風力予測データに基づく将来蓄電されるであろう電気量である。
【００３５】
管理装置側制御部２５は、風力発電充電スタンド５から送信されてくるその風力発電充電スタンド５の図示しない風力発電機の発電特性及び管理装置側通信部２３において受信したその風力発電充電スタンド５付近の風力予測データに基づいて予測蓄電量を算出するようになっている。風力発電機の発電特性とは、毎秒何ｍの風が吹くと何Ｗの電気が発電されるかというものである。
【００３６】
管理装置側制御部２５は、走行用バッテリーの残存容量について管理装置側通信部２３より電気自動車３に定期的に所定の情報を送信するようになっている。
【００３７】
管理装置側制御部２５は、電気自動車３のカーナビゲーション装置３３において目的地が設定されている場合において、電気自動車３の現在地から目的地までの距離、走行用バッテリーの残存容量を中心としたプローブ情報、及び渋滞予測等から電気自動車３の走行用バッテリーには電気自動車３が目的地到達できるのに充分な残存容量が残っていないと判断した場合には、管理装置側通信部２３より電気自動車側通信部３４に対して、充電推奨信号を送信するようになっている。
【００３８】
管理装置側制御部２５は、電気自動車３のカーナビゲーション装置３３において目的地が設定されていない場合においても、電気自動車のプローブ情報を分析した結果、所定の情報を提供するようになっている。
【００３９】
所定の情報とは、例えば、走行用バッテリーの残存容量が既定値になった旨の情報である。既定値とは、走行用バッテリーの充電可能容量に対する管理装置側通信部２３により受信した走行用バッテリーの残存容量の割合により表される。
【００４０】
既定値に定まった値は無く、電気自動車管理装置の管理者やユーザが任意に定めることができる。よって、例えば、１０％、２０％等のように自由に定めることができる。
【００４１】
また、所定の情報とは、例えば、電気自動車３の走行可能距離であってもよい。
【００４２】
また、所定の情報とは、電気自動車の現在地から最寄りの充電設備までの距離が所定の距離であるとの情報である。所定の距離は、電気自動車の現在地から充電設備までの距離が電気自動車の走行可能距離より短い距離である。所定の距離は走行可能距離よりも短い距離であれば特に定めは無く、例えば、走行可能距離の０．９倍の距離と定めたり、走行可能距離よりも３ｋｍ短い距離と定めたりすることができ、その値は電気自動車管理システム１の管理者やユーザが任意に定めることができる。
【００４３】
また、所定の距離は電気自動車管理システムを利用する車について一律に同じである必要は無く、電気自動車の車種ごとに定めたり、電気自動車のユーザが各自個別に定めたりしてもよい。
【００４４】
管理装置側制御部２５は、走行用バッテリー充電推奨信号を送信した後に、ユーザデータベース２４に登録されている風力発電充電スタンドの検索を行い、電気自動車３が現在の走行用バッテリーの残存容量で到達することができ、かつ目的地に到達するのに必要な充電を行うことができる風力発電充電スタンド５の住所や地図情報を提供するようになっている。
【００４５】
管理装置側制御部２５は、電気自動車側通信部３４から管理装置側通信部２３に充電予約申込信号が送信されてきた場合には、管理装置側通信部２３から、風力発電充電スタンド側通信部５１に対して電気自動車３の充電予約申込信号の送信を行うようになっている。
【００４６】
また、管理装置側制御部２５は、電気自動車側通信部３４から管理装置側通信部２３に予約受付信号が送信されてきた場合には、管理装置側通信部２３から電気自動車側通信部３４に対して予約受付手続完了信号の送信を行うようになっている。
【００４７】
また、管理装置側制御部２５は、管理装置側通信部２３において充電開始許可要求信号を受信した場合には、その充電開始許可要求信号を送信した電気自動車３が充電予約を開始した風力発電充電スタンド５に充電開始許可信号を送信し、電気自動車３には風力発電充電スタンド５において充電をすることが可能であることをしらせる充電可能信号を送信する。
【００４８】
管理装置側制御部２５は、管理装置側操作入力部２１から入力された電気自動車の識別番号や公衆回線等を通じて送信されてくる電気自動車のバッテリー、インバータ、モータ、ブレーキ及びＧＰＳ等のＥＣＵ群の情報をユーザデータベース２４に電気自動車毎に記憶させるようになっている。
【００４９】
また、管理装置側制御部２５は、ＶＩＣＳ受信部２２において受信した渋滞情報のうち電気自動車３周辺の渋滞情報及び走行経路上の渋滞情報を抽出するようになっている。そして、抽出した渋滞情報をデータベース所定の時間毎にユーザデータベース２４に登録して、ユーザデータベース２４内の渋滞情報を更新するようになっている。
【００５０】
図１に示すように、電気自動車３には、情報の送受信を行うための情報端末装置３１、電気自動車３の各部の情報を情報端末装置３１に送信するためのＥＣＵ３２及びカーナビゲーション装置３３（以下「カーナビ３３」という）。
【００５１】
情報端末装置３１には、情報の送信を行うための電気自動車側通信部３４及び情報端末装置の統括的制御を行う情報端末装置側制御部３５が備えられている。
【００５２】
電気自動車側通信部３４は、電話回線通信で使用される周波数帯の信号を送受信するアンテナと、コマンドに従って電話回線通信規格に沿った通信処理を行う無線通信手段としての電話回線通信モジュールと、プログラムを実行してユニット全体の制御を行うＣＰＵと、ＣＰＵの制御プログラムや制御データが格納されるＲＯＭと、ＣＰＵに作業空間を提供するＲＡＭと、ＣＰＵと各入出力モジュールとの間でデータの受渡しを行うＩ／Ｏインターフェースにより構成されている。
【００５３】
電気自動車側操作入力部２９は、例えばタッチパネル、ライトペン、各種キーや操作ボタン等によって構成されており、ユーザがこれらを操作することにより、操作に応じた操作信号を情報端末装置側制御部３５に出力するようになっている。
【００５４】
ＥＣＵ３２は、例えば、バッテリー、インバータ、モータ及びブレーキ装置等の電気自動車の各部の装置に備えられたＥＣＵを統括制御するものである。バッテリーから情報端末装置側制御部３５に送信される情報とは、例えば、バッテリー残存容量及びバッテリーの故障情報である。インバータから情報端末装置側制御部３５に送信される情報とは、例えば、インバータの故障情報である。モータから情報端末装置側制御部３５に送信される情報とは、例えば、現在のモータの回転数及びモータの故障情報等である。ブレーキ装置から情報端末装置側制御部３５に送信される情報とは、例えば、電気自動車３のユーザが一定時間内にどの程度ブレーキを踏む回数及び故障情報等である。カーナビ３３から情報端末装置側制御部３５に送信される情報とは、例えば、電気自動車現在地及びカーナビの故障情報等である。
【００５５】
カーナビ３３は、図示しない各種情報を入力する入力操作部、音声によって入力を行う音声入力部、ユーザに対して各種情報を表示する表示部、音声を出力する音声出力部や、例えばハードディスク等によって構成され各種データを記憶する記憶部、外部から入力されたユーザの個人的なデータ等を記憶する外部メモリ、車両が進行する方位を検出する方位センサ、ＧＰＳ（Global Positioning Systems）衛星からの信号を受信するＧＰＳ受信部等が備えられている。
【００５６】
カーナビ３３は、ユーザの設定により目的地までの経路を表示するようになっている。
【００５７】
なお、電気自動車側通信部３４において受信した情報は、図示しない音声出力部から出力されたり又は画像表示部に表示されたりすることでドライバーに伝達されるようになっている。
【００５８】
また、情報端末装置側制御部３５は、図示しない操作入力部の操作に応じて電気自動車管理装置２に対して識別情報を添付して認証要求を行うようになっている。
【００５９】
また、情報端末装置側制御部３５は、図示しない操作入力部からの操作信号に応じて電気自動車側通信部３４から充電予約申込信号を送信するようになっている。
【００６０】
また、情報端末装置側制御部３５は、図示しない操作入力部の操作に応じて電気自動車側通信部３４から管理装置側通信部２３に対してその電気自動車の識別情報が付された充電開始許可要求信号を送信するようになっている。
【００６１】
また、情報端末装置側制御部３５は、電気自動車の充電が完了した場合には、図示しない操作入力部の操作に応じて電気自動車側通信部３４から管理装置側通信部２３に対して充電完了信号を送信するようになっている。
【００６２】
なお、電気自動車側通信部３４において受信した情報は、図示しない音声出力部から出力されたり又は画像表示部に表示されたりすることでドライバーに伝達されるようになっている。
【００６３】
風力発電充電スタンド５には、情報の送受信を行うための風力発電充電スタント側通信部５１と、バッテリー５２と、発電の制御、発電した電気の管理及び前記各部の統括的制御を行うための風力発電充電スタンド側制御部５３が備えられている。
【００６４】
風力発電充電スタンド側通信部５１は、電話回線通信で使用される周波数帯の信号を送受信するアンテナと、コマンドに従って電話回線通信規格に沿った通信処理を行う無線通信手段としての公衆回線通信モジュールと、プログラムを実行してユニット全体の制御を行うＣＰＵと、ＣＰＵの制御プログラムや制御データが格納されるＲＯＭと、ＣＰＵに作業空間を提供するＲＡＭと、ＣＰＵと各入出力モジュールとの間でデータの受渡しを行うＩ／Ｏインターフェースにより構成されている。
【００６５】
バッテリー５２には、汎用のものが用いられ、風力発電充電スタンドにおいて充電された電気を蓄電するようになっている。
【００６６】
風力発電充電スタンド側制御部５３は、管理装置側通信部２３から電気自動車３の充電に必要な電気量とともに充電予約申込信号が送信されてきた場合には、バッテリー５２に電気自動車３の充電に必要な電気量が残存しているか検索を行い、必要な電気量が残存していると判断した場合には、風力発電充電スタンド側通信部５１から管理装置側通信部２３に予約受付信号の送信を行うようになっている。
【００６７】
また、風力発電充電スタンド側制御部５３は、予約を受け付けた電気自動車３に充電するのに必要な電気量を確保するようになっている。
【００６８】
また、風力発電充電スタンド側制御部５３は、電気自動車管理装置２に対して識別情報を添付して認証要求を行うようになっている。
【００６９】
また、風力発電充電スタンド側制御部５３は、風力発電充電スタンドの稼動状況やバッテリー５２内の蓄電量を風力発電充電スタンド側通信部５１から管理装置側通信部２３に送信するようになっている。
【００７０】
また、風力発電充電スタンド側制御部５３は、電気自動車管理装置２から充電予約申込信号を受信した場合には、充電予約申込みをしてきた電気自動車が充電するのに必要な電気量を確保する処理を行った後に、予約受付手続完了信号を風力発電充電スタンド５の風力発電充電スタンド側通信部５１から管理装置側通信部２３に送信するようになっている。
【００７１】
また、風力発電充電スタンド側制御部５３は、風力発電充電スタンド側通信部５１において充電開始許可信号を受信した場合には、電気自動車３に充電可能な状態とするようになっている。
【００７２】
なお、風力発電充電スタンド５は充電開始許可信号を受信していない場合においては、いかなる電気自動車にも充電できない状態となっている。
【００７３】
また、風力発電充電スタンド側制御部５３は、電気自動車３の充電が完了した場合には風力発電充電スタンド側通信部５１から管理装置側通信部２３に対して充電完了信号を送信するようになっている。
【００７４】
なお、上述の実施形態においては、電気自動車管理装置２が電気自動車管理システムの運行のマネジメントを行っているが、電気自動車管理システム２は必ずしも備えられていなくてもよい。その場合の電気自動車管理システムにおける運行のマネジメントはプローブカー側制御部又は風力発電充電スタンド側制御部が行うものである。
【００７５】
以下において、本実施の形態の電気自動車管理システム１の作用について説明する。
【００７６】
図２は、電気自動車管理システム1の動作に関するフロー・シーケンス図である。
【００７７】
電気自動車３、電気自動車４、風力発電充電スタンド５及び風力発電充電スタンド６のそれぞれから識別情報が付された認証要求電文により認証要求がされる（認証要求(1)(2)(3)(4)）、電気自動車管理装置２にされると管理装置側制御部２５はユーザデータベース２４に格納されている本システムを利用する電気自動車及び風力発電充電スタンドの識別情報に基づいて確信作業を行い、有効である場合には認証（認証(1)(2)(3)(4)）を行う。
【００７８】
それらの全てについて認証が行われた場合には、電気自動車３、電気自動車４、風力発電充電スタンド５及び風力発電充電スタンド６のそれぞれの通信部から電気自動車管理装置２の管理装置側通信部２３に対して必要な情報が随時送信される。
【００７９】
電気自動車管理装置２の管理装置側制御部２５は、電気自動車３及び電気自動車４についてはそれぞれのデータを分析する。そして、電気自動車３及び電気自動車４にそれぞれの走行用バッテリーの残存量について情報提供（バッテリー残量情報提供(1)(2)）を行う。
【００８０】
また、電気自動車管理装置２の管理装置側制御部２５は、風力発電充電スタンド５及び風力発電充電スタンド６のそれぞれの蓄電量をユーザデータベース２４に登録する。また、風力発電充電スタンド５及び風力発電充電スタンド６のデータを分析する。そして、風力予測データも用いて予測蓄電量を算出し、それらについてユーザデータベース２４にそれぞれ登録する。蓄電量及び予測蓄電量については受信したデータに基づいて随時更新される。
【００８１】
電気自動車３及び電気自動車４のそれぞれの走行用バッテリーの残存容量が既定値以下になった場合には、電気自動車３及び電気自動車４に充電奨励信号(1)(2)を送信する。
【００８２】
充電奨励信号を受信した電気自動車３及び電気自動車４が必要な充電量とともに充電要求信号(1)及び(2)をそれぞれ電気自動車管理装置２に送信すると、電気自動車管理装置２の管理装置側制御部２５はユーザデータベース２４に登録されている風力発電充電スタンドであって、電気自動車３が到達可能であり、かつ必要な量の充電を行うことができるものの検索を行い、それらの条件を満たす風力発電充電スタンド５を選択する。
【００８３】
そして、風力発電充電スタンド５の住所や地図情報を電気自動車３及び電気自動車４に送信する（スタンド情報提供(1)(2)）。電気自動車３のユーザがその内容を確認して、その風力発電充電スタンド５で充電をすることを決定した場合には図示しない入力操作部を操作して充電予約申込信号(1)を送信する。
【００８４】
電気自動車管理装置２が充電予約申込信号を受信すると必要な電気量を知らせるとともにその充電予約申込信号を風力発電充電スタンド５に転送する。
【００８５】
必要な充電量及び充電予約信号を受信した風力発電充電スタンド５は充電に必要な電気量を確保するとともに、電気自動車管理装置２に予約受付手続完了信号(1)を送信する。
【００８６】
予約手続完了信号を受信した電気自動車管理装置２は電気自動車３に対して、予約受付手続完了信号(1)を転送する。
【００８７】
予約受付手続完了信号を受信した電気自動車３のユーザは、電気自動車管理装置２から送信された風力発電充電スタンド５の地図情報等に基づいて風力発電充電スタンド５に到着した後、充電を開始しようとする場合に、図示しない入力操作部を操作して電気自動車側通信部３４より電気自動車３の識別情報を付して充電開始許可要求信号(1)を送信する。
【００８８】
充電開始許可要求信号(1)を受信した電気自動車管理装置２は、その信号に付された識別情報より、充電開始許可要求信号(1)を送信してきた電気自動車が風力発電充電スタンド５において充電予約をしている電気自動車３であると判断した場合には、風力発電充電スタンド５に対して充電開始許可信号(1)を送信し、電気自動車３に対して充電許可信号(1)を送信する。
【００８９】
そして、風力発電充電スタンド５において電気自動車３のユーザは所定の操作を行って走行用バッテリーへの充電を行う。そして充電が完了すると終了信号(1)(2)が送信される。
【００９０】
電気自動車３が風力発電充電スタンド５の充電予約の手続を開始した後に、電気自動車４から充電予約申込信号(2)が電気自動車管理装置２に送信されてきたときに電気自動車４にとって最適の充電場所が風力発電充電スタンド５であっても、電気自動車３に対して充電を行うと電気自動車４に必要な電気量が風力発電充電スタンド５のバッテリーに充分な蓄電量が無いと管理装置側制御部２５が判断した場合には、データベースに登録されている風力発電充電スタンドであって、電気自動車４が到達可能であって、かつ必要な量の充電を行うことができるものの検索を行い、それらの条件を満たす風力発電充電スタンド６を選択する。そして、その後は電気自動車３と同様に処理が行われる
【００９１】
以上本発明によれば、電気自動車３及び電気自動車３の走行用バッテリーの状況、風力発電充電スタンド５及び風力発電充電スタンド６における蓄電量、将来の蓄電量及び道路状況を踏まえたうえで電気自動車３及び電気自動車４は確実に充電を行うことができ、電気自動車３及び電気自動車４の運行を適切に図ることができる。
【００９２】
また本発明によれば、風力により電気を発電させるので環境汚染を招くことなく清潔な環境を維持しつつ電気自動車３及び電気自動車４に電気を供給することができる。
【００９３】
また、本発明によれば、現在の蓄電量のみならず、予測蓄電量に基づいて運行のマネジメントをすることができるので、将来蓄電される電気の量をも考慮して運行することが可能となるのでより電気自動車３及び電気自動車４は長時間の運行が可能となり、より広い地域内における運行のマネジメントが可能となる。
【図面の簡単な説明】
【００９４】
【図１】本発明に係る電気自動車マネジメントシステムの構成例を示すブロック図である。
【図２】本発明に係る電気自動車マネジメントシステムにおけるフロー・シーケンス図である。
【符号の説明】
【００９５】
1      電気自動車管理システム
２     電気自動車管理装置
３     電気自動車
４     電気自動車
５     風力発電充電スタンド
６     風力発電充電スタンド
２１   電気自動車管理装置側操作入力部
２２   ＶＩＣＳ受信部
２３   電気自動車管理装置側通信部
２４   ユーザデータベース
２５   電気自動車管理装置側制御部
２９   電気自動車側操作入力部
３１   情報端末装置
３２   ＥＣＵ
３３   カーナビゲーション装置
３４   電気自動車側通信部
３５   情報端末装置側制御部
５１   風力発電充電スタント側通信部
５１   風力発電充電スタンド側通信部
５２   バッテリー
５３   風力発電充電スタンド側制御
【図１】
2006113890.tif 000003
【図２】
2006113890.tif 000004